(57)【要約】      （修正有）【課題】コンパクトで感熱ロール紙の交換が容易な携帯型価格ラベルプリンタを提供する。【解決手段】携帯型価格ラベルプリンタは、ハウジングと蓋部２とを含み、ハウジング内の上部に、感熱ロール紙を格納する紙カセット３が設置され、紙カセットの内部にプリントヘッドが設置され、蓋部内にプリントヘッドと密接するプラテンローラ６が設置され、ハウジングの内部に、伝動部品を介してプラテンローラを回転させる電動機７が設置されている。【選択図】図５
0003225749.tif 000002
【実用新案登録請求の範囲】
【請求項１】
ハウジング（１）と蓋部（２）とを含み、前記ハウジング（１）内の上部に、感熱ロール紙（４）を格納する紙カセット（３）が設置され、前記紙カセット（３）の内部にプリントヘッド（５）が設置され、
前記蓋部（２）内にプリントヘッド（５）と密接するプラテンローラ（６）が設置され、前記ハウジング（１）の内部に、伝動部品を介して前記プラテンローラ（６）を回転させる電動機（７）が設置されていることを特徴とする携帯型価格ラベルプリンタ。
【請求項２】
前記蓋部（２）の内部に固定座（８）が設置され、前記プラテンローラ（６）が前記固定座（８）に取り付けられ、前記固定座（８）の上方にトーションバネ押圧板（９）が設置され、前記プラテンローラ（６）の回転軸に、両アームがそれぞれ前記固定座（８）及び前記トーションバネ押圧板（９）に当接するトーションバネ（１０）が取り付けられていることを特徴とする請求項１に記載の携帯型価格ラベルプリンタ。
【請求項３】
前記蓋部（２）の内部に可動板（１１）とスライドスイッチ（１２）とがさらに設置され、前記可動板（１１）にスナップ（１３）が設置され、前記紙カセット（３）の上部に前記スナップ（１３）と係合する係合溝（１４）が設置され、前記可動板（１１）が復帰バネ（１５）と接続され、前記スライドスイッチ（１２）を押動することで前記可動板（１１）を水平移動させることによって、前記スナップ（１３）と前記係合溝（１４）とを分離させることを特徴とする請求項１に記載の携帯型価格ラベルプリンタ。
【請求項４】
前記蓋部（２）の一側に、紙カセット（３）の紙排出口の上方に位置するカッター（１６）が設置されていることを特徴とする請求項１に記載の携帯型価格ラベルプリンタ。
【請求項５】
前記蓋部（２）は、回転軸（１７）を介して前記ハウジング（１）にヒンジ接続されていることを特徴とする請求項１に記載の携帯型価格ラベルプリンタ。
【請求項６】
前記伝動部品は、前記電動機（７）と接続されるギヤ列（１８）であり、前記プラテンローラ（６）に歯車が外挿され、前記ギヤ列（１８）が紙カセット（３）の側面に取り付けられ、前記ギヤ列（１８）の上方が、紙カセット（３）と固定接続される背板（１９）により覆われることを特徴とする請求項１に記載の携帯型価格ラベルプリンタ。
【請求項７】
前記プリントヘッド（５）の背面部に前記背板（１９）と接触する放熱片（２０）が設置されていることを特徴とする請求項６に記載の携帯型価格ラベルプリンタ。
【請求項８】
前記紙カセット（３）の外壁に前記電動機（７）を取り付けるためのホルダー（２１）が設置され、前記ホルダー（２１）の外側が、前記背板（１９）と接触する伝熱片（２２）に覆われることを特徴とする請求項６に記載の携帯型価格ラベルプリンタ。
【請求項９】
前記紙カセット（３）に観察孔（２３）が設けられ、前記ハウジング（１）に前記観察孔（２３）に対応する覗き口（２４）が設けられていることを特徴とする請求項１に記載の携帯型価格ラベルプリンタ。
【請求項１０】
前記紙カセット（３）及び固定座（８）の内壁に前記感熱ロール紙（４）の長さ及び間隔をセンシングするためのセンサが設置されていることを特徴とする請求項１に記載の携帯型価格ラベルプリンタ。
【考案の詳細な説明】
【技術分野】
【０００１】
本考案は、サーマルプリンタの技術分野に属し、より具体的に、携帯型価格ラベルプリンタに関する。
【背景技術】
【０００２】
価格ラベルプリンタは、スーパー、デパート、通信、病院等の分野に幅広く使用されており、感熱ロール紙をプリント媒体として価格ラベル等のラベルをプリントするものである。感熱紙は、原紙、プライマ層、感熱コーティング層及び保護層が順に重なって形成されたものである。連続する感熱紙が巻回されて感熱ロール紙に形成される。
【０００３】
価格ラベルプリンタによりプリントするとき、感熱紙が、ローラ紙から引き出されて、接して設置されるプリントヘッドとプラテンローラの間を通り、感熱紙の保護層がプリントヘッドと接触し、感熱紙の原紙がプラテンローラと接触するようになり、プリンタの駆動機構が、プラテンローラを回転させて感熱紙を下流へ搬送するように駆動する。そして、プリンタの制御装置がプリントヘッドの発熱体を発熱させるように制御し、熱が感熱紙の保護層を経由して感熱コーティング層まで伝導され、感熱コーティング層における無色の染料、発色剤が、熱により化学反応を行い変色する。これによって、所定の文字又は画像を含む用紙がプリントされる。プリント終了後、手切れ又は自動切れ等でプリント済みの用紙が未使用の感熱紙から剥離され、未使用の感熱紙がプリントヘッドとプラテンローラの間に保持されて次のプリントまで待機する。
【０００４】
従来の市販の価格ラベルプリンタは、プラテンローラの取付構造及び紙カセットの設置が合理的ではなく、構成が複雑であり、占有スペースが大きいので、装置のコンパクト化を実現することができない。また、ローラ紙の着脱が容易ではなく、紙送りが流暢ではなく、プリント性能が悪い問題もある。
【考案の概要】
【考案が解決しようとする課題】
【０００５】
本考案は、コンパクトな携帯型価格ラベルプリンタを提供することを解決すべき課題とする。
【課題を解決するための手段】
【０００６】
本考案は、上記技術的問題を解決するため、下記の技術案を用いる。携帯型価格ラベルプリンタは、ハウジングと蓋部とを含み、前記ハウジング内の上部に、感熱ロール紙を格納する紙カセットが設置され、前記紙カセットの内部にプリントヘッドが設置され、前記蓋部内にプリントヘッドと密接するプラテンローラが設置され、前記ハウジングの内部に、伝動部品を介して前記プラテンローラを回転させる電動機が設置されている。
【０００７】
上記の技術案において、前記蓋部の内部に固定座が設置され、前記プラテンローラが前記固定座に取り付けられ、前記固定座の上方にトーションバネ押圧板が設置され、前記プラテンローラの回転軸に、両アームがそれぞれ固定座及びトーションバネ押圧板に当接するトーションバネが取り付けられている。
【０００８】
上記の技術案において、前記蓋部の内部に可動板とスライドスイッチとがさらに設置され、前記可動板にスナップが設置され、前記紙カセットの上部に前記スナップと係合する係合溝が設置され、前記可動板が復帰バネと接続され、スライドスイッチを押動することで前記可動板を水平移動させることによって、スナップと係合溝とを分離させる。
【０００９】
上記の技術案において、前記蓋部の一側に、紙カセットの紙排出口の上方に位置するカッターが設置されている。
【００１０】
上記の技術案において、前記蓋部は、回転軸を介して前記ハウジングにヒンジ接続されている。
【００１１】
上記の技術案において、前記伝動部品は、前記電動機と接続されるギヤ列であり、前記プラテンローラに歯車が外挿され、前記ギヤ列が紙カセットの側面に取り付けられ、ギヤ列の上方が、紙カセットと固定接続される背板により覆われる。
【００１２】
上記の技術案において、前記プリントヘッドの背面部に前記背板と接触する放熱片が設置される。
【００１３】
上記の技術案において、前記紙カセットの外壁に前記電動機を取り付けるためのホルダーが設置され、前記ホルダーの外側が、前記背板と接触する伝熱片に覆われる。
【００１４】
上記の技術案において、前記紙カセットに観察孔が設けられ、前記ハウジングに前記観察孔に対応する覗き口が設けられる。
【００１５】
上記の技術案において、前記紙カセット及び固定座の内壁に感熱ロール紙の長さ及び間隔をセンシングするためのセンサが設置されている。
【００１６】
本考案に係る携帯型価格ラベルプリンタは、下記の有益効果を有する。
本考案に係る携帯型価格ラベルプリンタを使用するとき、プリントヘッドにより文字又は画像を感熱紙にプリントし、電動機が伝動部品を介してプラテンローラを回転させることによって、感熱ロール紙の連続排紙を実現する。本考案は、プリントヘッドと、紙カセットと、電動機とがユニット化されてハウジングの内部に設置され、プラテンローラが蓋部内に設置されるので、空間を十分に利用でき、構成がコンパクトになる。また、蓋部を開けるだけで紙カセットにおける感熱ロール紙を交換することができるので、操作が簡単になる。
【図面の簡単な説明】
【００１７】
【図１】本考案に係る携帯型価格ラベルプリンタの構成模式図である。
【図２】図１における蓋部が開いたときの構成模式図である。
【図３】蓋部と紙カセットの構成模式図である。
【図４】図３における蓋部が開いたときの構成模式図である。
【図５】図３における蓋部が開いてローラ紙を取り出したときの構成模式図である。
【図６】図５の他方向視の構成模式図である。
【図７】紙カセットの分解模式図である。
【図８】蓋部の構成模式図である。
【図９】蓋部の分解模式図である。
【考案を実施するための形態】
【００１８】
本考案の技術的特徴、目的及び効果をより明瞭にするため、図面を参照しながら本考案の具体的な実施形態を詳細に説明する。
図１〜９に示すように、本考案は、ハウジング１と蓋部２とを含み、ハウジング１内の上部に、感熱ロール紙４を格納する紙カセット３が設置され、紙カセット３の内部にプリントヘッド５が設置されている。蓋部２内にプリントヘッド５と密接するプラテンローラ６が設置され、ハウジング１の内部に、伝動部品を介してプラテンローラ６を回転させる電動機７が設置されている。
【００１９】
本考案に係る携帯型価格ラベルプリンタを使用するとき、プリントヘッド５により文字又は画像をプリント用紙にプリントし、電動機７が伝動部品を介してプラテンローラ６を回転させることによって、感熱ロール紙４の連続排紙を実現する。本考案は、プリントヘッド５と、紙カセット３と、電動機７とがユニット化されてハウジング１の内部に設置され、プラテンローラ６が蓋部２内に設置されるので、空間を十分に利用することができる。また、蓋部２を開けるだけで紙カセット３における感熱ロール紙４を交換することができるので、操作が簡単になる。
【００２０】
蓋部２の内部に固定座８が設置され、プラテンローラ６が固定座８に取り付けられ、固定座８の上方にトーションバネ押圧板９が設置され、プラテンローラ６の回転軸に、両アームがそれぞれ固定座８及びトーションバネ押圧板９に当接するトーションバネ１０が取り付けられている。トーションバネ１０は、プラテンローラ６に圧力を提供するとともに蓋部２を弾くための弾性力を提供する。トーションバネ１０はトーションバネ押圧板９を介して固定座８に固定されている。
【００２１】
蓋部２の内部に可動板１１とスライドスイッチ１２とがさらに設置されている。可動板１１にスナップ１３が設置され、紙カセット３の上部にスナップ１３と係合する係合溝１４が設置され、スライドスイッチ１２を押動することで可動板１１を水平移動させることによって、スナップ１３と係合溝１４とを分離させることができる。可動板１１が復帰バネ１５と接続されている。本実施例において、復帰バネ１５は、可動板１１に押力を提供して自動復帰させるための伸縮バネである。
【００２２】
蓋部２の一側に、紙カセット３の紙排出口の上方に位置するカッター１６が設置されている。カッター１６で感熱ロール紙４の切断を行うことができる。
【００２３】
蓋部２は、回転軸１７を介してハウジング１にヒンジ接続されている。スナップ１３と係合溝１４とを分離させ、蓋部２を回転させて開けることによって、紙カセット３内における感熱ロール紙４を交換することができる。そして、紙詰まりの解決も便利になる。
【００２４】
伝動部品は、電動機７と接続されるギヤ列１８であり、プラテンローラ６に歯車が外挿され、ギヤ列１８が紙カセット３の側面に取り付けられ、ギヤ列１８の上方が、紙カセット３と固定接続される背板１９により覆われる。本実施例のギヤ列１８による伝動は、好ましいものにすぎず、伝動部品としてベルト伝動、ウォームギヤ等のその他のものを利用してもよい。
【００２５】
プリントヘッド５の背面部に、背板１９と接触する放熱片２０が設置されている。紙カセット３の外壁に電動機７を取り付けるためのホルダー２１が設置され、ホルダー２１の外側が、背板１９と接触する伝熱片２２に覆われている。本実施例では、プリントヘッド５がセラミック片発熱体を有し、セラミック片発熱体が耐高温の両面テープを介して放熱片２０に固定され、放熱片２０がネジで紙カセット３に固定されている。伝熱片２２と放熱片２０により熱を背板１９に伝導するように構成されているので、放熱面積を増やさせ、電動機７の放熱効果を向上させることができる。
【００２６】
感熱ロール紙４の使用状況を便宜に確認するように、紙カセット３に観察孔２３が設けられ、ハウジング１に観察孔２３に対応する覗き口２４が設けられている。
【００２７】
紙カセット３及び固定座８の内壁に感熱ロール紙４の長さ及び間隔をセンシングするためのセンサが設置されている。本実施例では、感熱ロール紙４は、複数のグルーラベル用紙を含むテープを使用し、プリント層４０１と基材紙層４０２とを含み、プリント層４０１が間隔をあけて配列される複数のラベル用紙である。プリント層４０１と基材紙層４０２との材料が異なるため、透過型センサを利用して検測することが可能であり、これに基づいてプリントヘッド５と電動機７の動作を相応的に制御することができる。
【００２８】
ハウジング１の内部にバッテリとＰＣＢ板とがさらに設置され、ハウジング１は、側面に電源スイッチ２５が取り付けられ、底部にＵＳＢインタフェースと状態ランプとが設置され、左側に手持ちに便利なストラップ２６を有する。
【００２９】
紙カセット３の側壁に蓋部２の開閉を検出するための開蓋検出スイッチが設置されている。蓋部２が閉じたときに開蓋検出スイッチのタッチ部が押圧され、蓋部２が開いたときに開蓋検出スイッチがはね上がるので、蓋部２の開閉を検出する目的を達することができる。
【００３０】
上記で、図面を参照しながら本考案の実施例を説明したが、本考案が上記の具体的な実施形態に限定されない。上記の具体的な実施形態は、例示的なものにすぎず、限定するためのものではない。当業者は、本考案をもとに、本考案の主旨及び実用新案登録請求の範囲を逸脱しない限り、様々の形態で実施することが可能であり、これらの形態も本考案の保護範囲に属する。
【符号の説明】
【００３１】
１…ハウジング
２…蓋部
３…紙カセット
４…感熱ロール紙
５…プリントヘッド
６…プラテンローラ
７…電動機
８…固定座
９…トーションバネ押圧板
１０…トーションバネ
１１…可動板
１２…スライドスイッチ
１３…スナップ
１４…係合溝
１５…復帰バネ
１６…カッター
１７…回転軸
１８…ギヤ列
１９…背板
２０…放熱片
２１…ホルダー
２２…電熱片
２３…観察孔
２４…覗き口
【図１】
0003225749.tif 000003
【図２】
0003225749.tif 000004
【図３】
0003225749.tif 000005
【図４】
0003225749.tif 000006
【図５】
0003225749.tif 000007
【図６】
0003225749.tif 000008
【図７】
0003225749.tif 000009
【図８】
0003225749.tif 000010
【図９】
0003225749.tif 000011